(57)【要約】【課題】パソコンのＵＳＢポートに装着しなくても、ＵＳＢメモリ装置単独でウイルス感染を検出するとともに、ＵＳＢメモリ装置に付設した表示装置に、ＵＳＢメモリ本体内のデータ（フォルダ及びファイル一覧及びスキャンされたデータ等）を表示可能とする。【解決手段】ＵＳＢメモリ本体３と、接続端子部２と、スイッチ操作部４と、表示装置５と、電池６とを備え、ＵＳＢメモリ本体３は、データ格納用メモリ８と、ＣＰＵ９と、ウイルス対策ソフトが搭載されたメインメモリ１０と、入力部１１と、出力部１２と、バス１３とを備え、ＵＳＢメモリ本体３内のデータについてＣＰＵ９によるウイルスの検出の結果を表示し、スイッチ操作部４の操作によりＵＳＢメモリ本体３内のデータをスキャンし、表示装置５に表示する。【選択図】図２
2010218082.tif 000002
【特許請求の範囲】
【請求項１】
ＵＳＢメモリ本体と、データ入出力用の接続端子部と、スイッチ操作部と、表示装置と、電池とを備えたＵＳＢメモリ装置であって、
前記ＵＳＢメモリ本体は、データ格納用メモリと、ＣＰＵと、メインメモリと、入力部と、出力部と、バスとを備えており、
前記接続端子部は、前記入力部と出力部とに接続され、パソコンに装着可能であり、
前記メインメモリは、ＣＰＵが演算、制御するプログラムに加え、ウイルスを検出するウイルス対策ソフトが搭載されており、
前記ＣＰＵは、ウイルス対策ソフトにより動作してＵＳＢメモリ本体内のデータについてウイルス検出を行い、
前記表示装置は、前記出力部に接続されており、前記ウイルス検出の結果、ウイルスに感染されたデータがある場合は、感染の警告を表示装置に表示し、
前記スイッチ操作部は、前記入力部に接続されており、該スイッチ操作部の操作により前記ＵＳＢメモリ本体内のデータを表示装置に表示可能な構成であることを特徴とするＵＳＢメモリ装置。
【請求項２】
前記表示装置に表示するＵＳＢメモリ本体内のデータは、フォルダ及びファイルの一覧データ又はスキャンデータ、並びにウイルスに感染したファイル及びウイルス名を含むことを特徴とする請求項１記載のＵＳＢメモリ装置。
【請求項３】
前記ウイルス検出の結果、ウイルスを検出した場合は、該ウイルスを駆除し、ウイルスに感染されたファイルを削除することが可能であることを特徴とする請求項２記載のＵＳＢメモリ装置。
【請求項４】
前記出力部と接続端子部との間に、データスイッチ部を設け、該データスイッチ部は前記バスに接続されており、前記ウイルスが検出されると、接続端子部がオフ状態となり、接続端子部を介してパソコンへのデータの出力が不可能となる構成であることを特徴とする請求項１から３のいずれかに記載のＵＳＢメモリ装置。
【請求項５】
データ格納用メモリはフラッシュメモリであり、前記表示装置は液晶表示装置であることを特徴とする請求項１から４のいずれかに記載のＵＳＢメモリ装置。
【発明の詳細な説明】
【技術分野】
【０００１】
本発明は、表示装置付きＵＳＢメモリ装置に関するものである。
【背景技術】
【０００２】
近年、ＵＳＢメモリ（ＵＳＢフラッシュメモリ等）が普及し、簡単にデータの記録、交換等に利用されている。また、セキュリティの観点から、ＵＳＢメモリの筐体表面に指紋センサを設けた構成が知られている（特許文献１参照）。
【０００３】
さらに、ＵＳＢメモリスティックにおいて、カバーと、パーソナルコンピュータのＵＳＢ接続ポートに装着される端子部と、カバーに貼設された電子ペーパとを備え、電子ペーパには、ＵＳＢメモリスティックの所有者がデータの保存・消去・更新等を行った日付とは異なる接続月日や、使用回数等を確認することにより、所有者以外の他人が所有者の許可無くＵＳＢメモリスティックを使用したか否かの確認を容易ならしめるセキュリティ情報を表示することができるという構成が知られている（特許文献２参照）。
【０００４】
また、ウイルスチェック機能搭載セキュリティＵＳＢメモリは、すでに市販されている（非特許文献１参照）。
【先行技術文献】
【特許文献】
【０００５】
【特許文献１】特開２００８−２２５６６１号公報
【特許文献２】特開２００８−１８１３４８号公報
【非特許文献】
【０００６】
【非特許文献１】EasyDisk・セキャアＵＳＢメモリー、インターネット＜ＵＲＬ：http://www.iodata.jp/product/usbmemory/easydisk/＞
【発明の概要】
【発明が解決しようとする課題】
【０００７】
ところで、通常、ＵＳＢメモリの使用者は、複数のＵＳＢメモリを使用していることが多く、あるＵＳＢメモリ内にどのようなフォルダやファイルが記憶されているか、パソコンに装着することなく、簡単に確認したい場合がある。
【０００８】
しかしながら、従来のＵＳＢメモリには表示装置等は付設されていないから、ＵＳＢメモリをパソコンに装着しない限り、ＵＳＢメモリ内に記憶されたフォルダやファイルの一覧を閲覧したり、所望のファイルの有無等を確認したりすることはできない。
【０００９】
また、近年、インターネット等の通信回線の普及によるデータの送受信によって、パソコンのウイルス感染が問題となっている。パソコンについては、ウイルス対策ソフトをインストールすれば、インターネット等からデータ受信の際に、ウイルス対策ソフトにより感染データを排除することができるので、かなりのウイルス感染は防げることができる。  
【００１０】
しかし、ＵＳＢメモリについては、例えば、データをＵＳＢメモリで他人から受領したような場合は、前述のとおり、従来のＵＳＢメモリには表示装置等は付設されていないから、ＵＳＢメモリ内に記憶されたフォルダやファイルの状況を閲覧し、ウイルスに感染されたファイル、ウイルス名、或いはＵＳＢメモリのウイルスの感染の有無自体を確認したりすることはできない。
【００１１】
要するに、ＵＳＢメモリについては、パソコンに装着しないと、ＵＳＢメモリ内のウイルスの感染状況を確認するようなことはできない。したがって、ＵＳＢメモリをパソコンのＵＳＢポートに装着してデータを取り込むと、パソコンがウイルスに感染される危険性があり、感染してしまった場合は、それをウイルス対策ソフトで検出することで、その除去等を行わなくてはならない。また、逆に、ＵＳＢメモリ内のデータの感染に気がつかず、他人にそのＵＳＢメモリを提供してしまうと、信用問題が生じる。
【００１２】
上記特許文献１、２記載の発明は、いずれも基本的には、ＵＳＢメモリに、他人がアクセスできないようにする手段、又は他人のアクセスを検出する手段に関するものであり、ＵＳＢメモリに表示装置を付設してＵＳＢメモリ内に記憶されたフォルダやファイルの一覧を閲覧可能であることや、ウイルス感染の防止、検出に関する内容は一切開示されていない。
【００１３】
また、非特許文献１には、ウイルス対策を掲げるウイルスチェック機能搭載のセキュリティＵＳＢメモリが開示されているが、このＵＳＢメモリでは、あくまでも、パソコンに装着して初めてウイルスチェックを行うことができるものであり、パソコンを一々立ち上げなくてはならず、外出先のために自分のパソコンを利用できない時等には、ウイルスチェック機能は利用できない。
【００１４】
要するに、非特許文献１に開示されているものは、パソコンに装着することなく、ＵＳＢメモリ単独ではウイルスチェック機能を発揮することはできない。また、表示装置が付設されていないので、ＵＳＢメモリ内に記憶されているフォルダやファイルの一覧を閲覧したりスキャン（本明細書での「スキャン」は、「ウイルススキャン」ではなく、単にフォルダやファイル名を上下方向に走査して確認する意味でのスキャンを意味する。）することはできない。
【００１５】
本発明は、上記従来の問題を解決することを目的とするものであり、パソコンにＵＳＢメモリに装着しなくても、ＵＳＢメモリに付設した表示装置でＵＳＢメモリ内に記憶されたフォルダやファイルの一覧を閲覧でき、またフォルダやファイルをスキャンできるＵＳＢメモリ装置を実現することを課題とするものである。
【００１６】
さらに、本発明は、ＵＳＢメモリ単独でウイルス検出を行い感染の有無を知ることができ、ＵＳＢメモリ内のデータのウイルス感染による、パソコン、他人等への被害を防止可能とし、トータルとして被害をＵＳＢメモリ内のデータのみの最小限にとどめることが可能な、ＵＳＢメモリ装置を実現することを課題とするものである。
【課題を解決するための手段】
【００１７】
本発明は上記課題を解決するために、ＵＳＢメモリ本体と、データ入出力用の接続端子部と、スイッチ操作部と、表示装置と、電池とを備えたＵＳＢメモリ装置であって、前記ＵＳＢメモリ本体は、データ格納用メモリと、ＣＰＵと、メインメモリと、入力部と、出力部と、バスとを備えており、前記接続端子部は、前記入力部と出力部とに接続され、パソコンに装着可能であり、前記メインメモリは、ＣＰＵが演算、制御の動作を行うプログラムに加え、ウイルスを検出するウイルス対策ソフトが搭載されており、前記ＣＰＵは、ウイルス対策ソフトにより動作してＵＳＢメモリ本体内のデータについてウイルス検出を行い、前記表示装置は、前記出力部に接続されており、前記ウイルス検出の結果、ウイルスに感染されたデータがある場合は、感染の警告を表示装置に表示し、前記スイッチ操作部は、前記入力部に接続されており、該スイッチ操作部の操作により前記ＵＳＢメモリ本体内のデータを表示装置に表示可能な構成であることを特徴とするＵＳＢメモリ装置を提供する。
【００１８】
前記表示装置に表示するＵＳＢメモリ本体内のデータは、フォルダ及びファイルの一覧データ又はスキャンデータ、並びにウイルスに感染したファイル及びウイルス名を含む。
【００１９】
前記ウイルス検出の結果、ウイルスを検出した場合は、該ウイルスを駆除し、ウイルスに感染されたファイルを削除することが可能であることが好ましい。
【００２０】
前記出力部と接続端子部との間に、データスイッチ部を設け、該データスイッチ部は前記バスに接続されており、前記ウイルスが検出されると、接続端子部がオフ状態となり、接続端子部を介してパソコンへのデータの出力が不可能となる構成であることが好ましい。
【００２１】
データ格納用メモリはフラッシュメモリであり、前記表示装置は液晶表示装置であることが好ましい。
【発明の効果】
【００２２】
本発明に係るＵＳＢメモリ装置によれば、次のような効果が生じる。
（１）ＵＳＢメモリ装置に電源電池及び表示装置を設け、ＵＳＢメモリ装置内のデータ（フォルダ、ファイル等）が一覧でき、スキャン可能な構成としたので、利用者は、パソコンに装着しなくて、ＵＳＢメモリ装置単独で、ＵＳＢメモリ装置内のデータの状況を簡単に知ることができる。
【００２３】
（２）これによって、パソコンにＵＳＢメモリを接続しないでも、付設の表示装置でＵＳＢメモリ本体内のデータ（フォルダ及びファイル一覧）を閲覧することができ、ＵＳＢメモリのパソコンへの無駄な抜き差しを回避することが可能となる。例えば、ＵＳＢメモリ本体内にどのようなデータが記憶されているのか、単に確認するためのみで、パソコンに接続したりする必要がなくなる。
【００２４】
（３）そして、利用者は、ＵＳＢメモリ装置のウイルス感染の状況を、パソコンに装着しなくてもＵＳＢメモリ装置単独で簡単、明瞭に把握でき、感染した場合には感染ファイル及びそのウイルス名を特定して表示し、削除することも可能である。その結果、パソコンへのウイルス感染も防止可能となる。パソコン、他人等への被害を防止可能とでき、トータルとしてのウイルス感染による被害をＵＳＢメモリ装置内のデータのみの最小限にとどめることができる。
【００２５】
（４）ウイルスに感染している場合は、必要に応じて、ＵＳＢメモリ装置からパソコンへのデータ出力を遮断するデータスイッチ部を設けることにより、ＵＳＢメモリ装置をパソコンへ誤って装着しても、パソコンへのウイルスに感染を防止することができる。
【図面の簡単な説明】
【００２６】
【図１】図１は、本発明に係るＵＳＢメモリ装置の外観を示す図であり、（ａ）は上方から見た平面図であり、（ｂ）は正面図であり、（ｃ）は下方から見た平面図である。
【図２】図２は、本発明に係るＵＳＢメモリ装置の実施例１の構成を示すブロック図である。
【図３】図３は、本発明に係るＵＳＢメモリ装置の実施例１の作用を説明するフロー図である。
【図４】図４は、本発明に係るＵＳＢメモリ装置の実施例２の構成を示すブロック図である。
【発明を実施するための形態】
【００２７】
本発明に係るＵＳＢメモリ装置を実施するための形態を実施例に基づき図面を参照して、以下説明する。
【実施例１】
【００２８】
図１（ａ）〜（ｃ）は、本発明に係るＵＳＢメモリ装置の実施例１の外観を示す図である。本発明のＵＳＢメモリ装置１は、その外観は、後記するデータ入出力用の接続端子部２がパソコンのＵＳＢポートに挿入して装着可能であれば、デザイン性を考慮し、スティック形状、カード形状、楕円形状、球状等、どのような形状であってもよい。本実施例１では、図１に示すような、通常のＵＳＢメモリスティックと同様なスティック形状のもので説明する。
【００２９】
本実施例１のＵＳＢメモリ装置１は、ＵＳＢメモリ本体（機能部）３と、データ入出力用の接続端子部（以下、「接続端子部」という。）２と、スイッチ操作部４と、表示装置５と、電池６とを備えている。接続端子部２には、蓋７が着脱可能に装着される。
【００３０】
ＵＳＢメモリ本体３は、図２にブロック図で示すように、データ格納用メモリ８と、ＣＰＵ９と、メインメモリ１０と、入力部１１と、出力部１２と、バス（データ及びアドレスバス）１３と、を備えている。要するに、ＵＳＢメモリ本体３は、通常のＵＳＢメモリの有するデータ格納用メモリ８に加えて、プログラムで動作するＣＰＵ９を有し、コンピュータ機能を備えている。
【００３１】
データ格納用メモリ８は、パソコンに対して入出力されるデータを格納するためのメモリであり、通常のＵＳＢメモリが有するフラッシュメモリ（フラッシュＲＯＭ等）から構成される。メインメモリ１０は、ＣＰＵ９が演算、制御の動作を行うためのプログラムと、ウイルスを検出するウイルス対策ソフトが（常駐ソフトとして）搭載されている。
【００３２】
入力部１１は、スイッチ操作部４からの操作信号を入力し、またパソコン等からデータを入力する部分である。出力部１２は、接続端子部２を介して、格納しているデータをパソコンに出力し、また表示装置５に表示すべきデータを出力する部分である。バス１３は、データ格納用メモリ８、ＣＰＵ９、メインメモリ１０、入力部１１及び出力部１２を互いに接続し、データバス及びアドレスバスとして機能する。
【００３３】
接続端子部２は、ＵＳＢメモリ本体３から突出して形成されており、入力部１１及び出力部１２と接続されており、パソコンのＵＳＢポートに挿入して、パソコンに装着する端子部である。
【００３４】
スイッチ操作部４は、入力部１１に接続されており、後記する表示装置へのフォルダやファイルの一覧表示及びそれらのスキャン（本明細書でのスキャンは、「ウイルススキャン」ではなく、単にフォルダやファイル名を上下方向に走査して確認する意味でのスキャンを意味する。）等の操作を行い、また、ウイルス対策ソフトに基づく検出動作を開始させるためのものである。スイッチ操作部４の具体的な操作手段としては、プッシュスイッチ、回転スイッチ、その他のスイッチ等がある。
【００３５】
本実施例１では、スイッチ操作部４の操作手段として、プッシュ式のボタンスイッチを採用した構成について説明する。スイッチ操作部４は、電源スイッチボタン１４と、切替スイッチボタン１５、１６と、削除スイッチボタン１７とを備えている。
【００３６】
電源スイッチボタン１４は、電池６から成る電源のオンオフを行う電源の開閉切り替え用のスイッチボタンであり、これを押すと、ＵＳＢメモリ本体３（ＣＰＵ９及び表示装置５等）が動作状態となり、表示装置５が点灯して表示動作を開始する。また、ウイルス検出動作を開始する。
【００３７】
切替スイッチボタン１５、１６は、メインメモリ１０及びデータ格納用メモリ８に格納されたデータのフォルダ及びファイルをスキャンして、表示装置５に、フォルダ及びファイルの一覧表示、及びスキャン内容を表示するスイッチである。切替スイッチボタン１５、１６を連続的に二押し（ダブル押し）又は一押して、操作信号を発生し、これを入力部１１に送り入力部１１は、ＣＰＵ９を動作させるデジタル信号を発生してＣＰＵ９に送る。
【００３８】
切替スイッチボタン１５、１６は、いずれも連続的に二押し毎にフォルダをスキャンするデジタル信号を、また、一押しする毎にファイルをスキャンするデジタル信号を、入力部１１で発生させる構成である。このデジタル信号をＣＰＵ９は受けて、その演算、制御の動作を行うプログラムに従って、フォルダやファイルをスキャンし、表示装置に表示する。これにより、利用者は、ＵＳＢメモリ装置１をパソコンに装着することなく、ＵＳＢメモリ装置１単独で、そのＵＳＢメモリ本体３内に記憶されたフォルダやファイルを確認することができる。また、ウイルスに感染されたファイル及びそのウイルス名を表示することができる。
【００３９】
上記切替スイッチボタン１５、１６のうち、切替スイッチボタン１５は、フォルダ及びそのフォルダ内のファイルから成るツリーを、下方にスキャンするように構成されている。また、上記切替スイッチボタン１５、１６のうち、切替スイッチボタン１６は、フォルダ及びそのフォルダ内のファイルから成るツリーを、上方にスキャンするように構成されている。なお、このような操作手段は、いろいろな実施の態様があり、上記切替スイッチボタン１５、１６の構成に限定されることはない。
【００４０】
削除スイッチボタン１７は、後記するように、利用者によりスキャンされ選択されたフォルダやファイルを削除し、またウイルスを駆除するための操作用のスイッチである。即ち、フォルダ又はファイルをスキャンして選択し、削除スイッチボタン１７を一押しすると、入力部１１が、当該選択したフォルダやファイルを削除する指令信号を発生し、ＣＰＵ９に伝達するものである。
【００４１】
これにより、利用者にとって不要となったフォルダやファイル、又は表示装置にウイルス名付きで表示された感染したファイル（「感染ファイル」ともいう。）を削除することができる。なお、削除スイッチボタン１７を連続的に二押しすれば、感染ファイル及びそのウイルス名を表示装置に表示の有無にかかわらず、入力部１１が、ウイルスを自動的に駆除する信号を発生する。
【００４２】
電池６は、ＵＳＢメモリ本体３及び表示装置５に接続され、マイコン本体及び表示装置５の電源として機能するものであり、ボタン電池６等が使用される。或いは、電池６として、蓄電池でもよい。蓄電池の場合は、ＵＳＢメモリ装置１をパソコンに装着した際に、パソコンを通じて補給される電源で充電可能な構成とすることが好ましい。
【００４３】
表示装置５は、液晶表示装置が使用され、その表示面１８がＵＳＢメモリ装置１の平坦部と面一となるように埋設されて取り付けられている。液晶表示装置５は、出力部１２に接続され、出力部１２からの出力信号を受けて、ＵＳＢメモリ装置１内に記憶されているフォルダ及びファイルを表示するとともに、ウイルス検出情報（ウイルスの感染の有無、感染ファイル及びそのウイルス名等）を表示する。
【００４４】
本発明のＵＳＢメモリ装置１の特徴的な構成は、第１に、メインメモリ１０を設け、このメインメモリ１０に、ＣＰＵが演算、制御の動作を行うプログラムに加えてウイルス検出ソフトが搭載されている構成であり、第２に、表示装置５が付設されており、この表示装置５で、フォルダ及びファイルを表示するとともに、ウイルス検出情報を即座に表示可能とする構成である。
【００４５】
メインメモリ１０に搭載されたＣＰＵが演算、制御の動作を行うプログラムは、切替スイッチボタン１５、１６の操作により、ＣＰＵ９を動作させて、メインメモリ１０及びデータ格納用メモリ８に格納されたデータについて、フォルダ及びフォルダ内のファイルを一覧するとともに、それらをスキャンして、表示装置５に表示させる機能を有する。
【００４６】
また、メインメモリ１０に搭載されたウイルス検出ソフトは、ＣＰＵ９を動作させて、ＵＳＢメモリ本体３内のデータについてウイルス検出を行い、ウイルスに感染していれば、表示装置５にウイルスの感染警告を表示させる機能を有するとともに、検出した感染ファイル及びそのウイルス名を表示装置５に表示する機能を有する。
【００４７】
そして、ウイルス検出ソフトは、ＣＰＵ９を動作させて、ＵＳＢメモリ本体３内のメインメモリ及びデータ格納用メモリ８に格納されたデータについてウイルスの検出（ウイルスチェック）を行い、ウイルスに感染されたファイルがあれば、それにウイルス名、感染のマーク等を付与し、表示装置５に表示する機能を有する。
【００４８】
さらに、ウイルス検出ソフトは、ＵＳＢメモリ本体３に感染したウイルスを駆除する機能を有するとともに、ウイルスに感染したファイルを削除する機能も有する。
【００４９】
ところで、インターネット上では、新種のウイルスが時々刻々と生じているので、これに対応して、メインメモリ１０に搭載されたウイルス検出ソフトは、ウイルス対策ソフトを利用するパソコンにおける場合と同様に、日頃からバージョンアップされなくてはならない。
【００５０】
そのために、パソコンにバージョンアップされたウイルス検出ソフトを取り込み、ＵＳＢメモリ装置１をパソコンに装着して、バージョンアップされたウイルス検出ソフトをパソコンからＵＳＢメモリ装置１にダウンロードして、メインメモリ１０に搭載されたウイルス検出ソフトをバージョンアップする構成とすることが好ましい。
【００５１】
（作用）
本発明に係るＵＳＢメモリ装置１の機能をさらに明確にするために、以上の構成から成るＵＳＢメモリ装置１の作用を、主に、ＣＰＵが演算、制御の動作を行うためのプログラム及びウイルス検出ソフトによる動作を中心として、図３に示すフロー図を参照して説明する。
【００５２】
図３において、電源スイッチボタン１４を押すと電池６の電源が入り（電源ＯＮ、（ア）参照）、ＵＳＢメモリ本体３及び表示装置５が動作状態となり、表示装置５が点灯して表示動作を開始する。また、電源が入りウイルス検出ソフトによりＣＰＵ９が動作し、ウイルスの検出動作が開始する（（イ）参照）。
【００５３】
ウイルス検出動作が終了後、フォルダ一覧を表示し、またウイルスを検出した場合は、表示装置５にウイルス感染警告を表示する（（ウ）参照）。なお、表示動作の開始直後にフォルダ一覧を表示する構成としてもよい。
【００５４】
ウイルス感染警告の表示がない場合（（ク）参照）は、電源ＯＦＦして終了（（サ）参照）してもよいが、この場合は、利用者はパソコンに装着しても安全である。しかし、ウイルス感染警告の表示がでた場合（（ケ）参照）は、電源をＯＦＦして終了（（シ）参照）してもよいが、この場合は、利用者はパソコンに装着すると危険であるから、装着しない方がよい。
【００５５】
ここで、利用者が、ＵＳＢメモリ本体３に記憶されているフォルダやファイルはどのようなものがあるか確認したい場合、或いはウイルスに感染されたファイル及びそのウイルス名を見たい場合は、次のようにして、フォルダ及びファイルのスキャンをすることができる。
【００５６】
即ち、切替スイッチボタン１５又は切替スイッチボタン１６をダブル押し（連続して二押し）すると、パソコンにＵＳＢメモリ装置１を装着することなく、表示装置５において、フォルダ一覧中のフォルダを次々とスキャンし、見ることができ、選択することができる（（エ）参照）。この場合、切替スイッチボタン１５をダブル押しすると、フォルダを下方にスキャンして選択することができる。同様に、切替スイッチボタン１６をダブル押しすると、フォルダを上方にスキャンして選択することができる。
【００５７】
選択されたフォルダについて、切替スイッチボタン１５又は切替スイッチボタン１６を一押しすると（（オ）参照）、パソコンにＵＳＢメモリ装置１を装着することなく、選択したフォルダ内のファイルを一覧表示することができる（（カ）参照）。
【００５８】
そして、切替スイッチボタン１５又は切替スイッチボタン１６を一押しする毎に、上記選択したフォルダ内のファイルを、スキャンして見ることができ、選択することができる（（キ）参照）。この場合、切替スイッチボタン１５を一押しする毎に、選択したフォルダ内のファイルを下方にスキャンして見ることができ、選択することができる。また、切替スイッチボタン１６を一押しする毎に、選択したフォルダ内のファイルを上方にスキャンして見ることができ、選択することができる。
【００５９】
ウイルスに感染した場合は、ウイルスを表示装置に表示し、感染ファイルにウイルス名や感染を示すマークを付与するようにすれば、上記ファイルのスキャンによって、感染ファイルを特定することが可能となる。                         
【００６０】
以上の操作をして、利用者は、ウイルス感染の有無にかかわらず、ＵＳＢメモリ装置１の表示装置５による表示及びウイルス検出を終了する場合は、電源をＯＦＦする（（サ）、（シ）参照）。この場合、ウイルス感染警告の表示がなく（（ク）参照）、利用者が電源をＯＦＦする（（サ）参照）場合は、ＵＳＢメモリ装置１をパソコンに装着しても、ウイルス感染のおそれはないので安全である。
【００６１】
また、ウイルス感染があっても、上記のとおり、そのウイルスを駆除し、表示装置５の表示画面中で感染ファイルを選択して削除ボタンを押すことにより、削除し（（コ）参照）、電源をＯＦＦ（（サ）参照）した場合も、ＵＳＢメモリ装置１をパソコンに装着しても、ウイルス感染のおそれはないので安全である。
【００６２】
しかし、感染警告の表示がでた場合（（ケ）参照）において、利用者が電源をＯＦＦした（（シ）参照）場合は、ＵＳＢメモリ装置１をパソコンに装着するとパソコンへのウイルス感染の危険があるので、パソコンに装着しない方がよい。
【００６３】
このようにして、ウイルスに感染の有無により、パソコンに装着してもよいか、装着しない方がよいか、判断することが可能となる。また、感染した場合でも、利用者はウイルスを駆除し、また感染したファイルを削除することができる（（コ）参照）。この結果、パソコンへの感染を完全に防止することができる。
【００６４】
（変形例）
上記ＵＳＢメモリ装置１の実施例１の変形例を以下説明する。上記実施例１において、表示装置５に加えて、ウイルスを検出した場合に警報を発するブザー（図示せず）を付設すれば、利用者により確実にウイルスに感染したことを警告することができる。なお、表示装置５を付設せず、ブザーのみを付設して、ブザーのみで利用者にウイルスに感染したことを警告するような構成としてもよい。
【実施例２】
【００６５】
図４は、本発明に係るＵＳＢメモリ装置の実施例２を示すブロック図である。この実施例２は、実施例１とほぼ同じ構成であるが、ＵＳＢメモリ装置２０内のデータについてウイルス感染を検出した場合は、パソコンとのデータの交換を禁止するために、データの入出力をオンオフするデータスイッチ部１９をＵＳＢメモリ本体２１に設けた構成を特徴とする。
【００６６】
実施例２のＵＳＢメモリ装置２０について、実施例１と同じ構成は省略し、実施例２の特徴的な構成のみを以下説明する。出力部１２と、接続端子部２との間にデータスイッチ部１９が設けられている。このデータスイッチ部１９は、ＵＳＢメモリ本体３に設けられ、バス１３に接続されている。
【００６７】
そして、ＵＳＢメモリ装置２０内に格納されたデータについてウイルスを検出すると、ＣＰＵ９の動作によりデータスイッチ部１９をオフにする信号を発生して、これをバス１３を介してデータスイッチ部１９に伝達して、データスイッチ部１９をオフとし、しかも電源をＯＦＦとしてもデータスイッチ部１９をオフ状態に維持するような構成とする。
【００６８】
これによって、利用者がＵＳＢメモリ装置１をパソコンに装着しても、パソコンへのデータの出力ができなくなるので、パソコンのウイルスの感染を防止することができる。なお、データスイッチ部１９を設けなくても、ウイルス対策ソフトよりＣＰＵ９を動作させて、データをパソコンに出力させない機能を行うような構成としてもよい。
【００６９】
以上、本発明に係るＵＳＢメモリ装置を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７０】
本発明に係るＵＳＢメモリ装置は上記のような構成であるから、ＵＡＢメモリスティックをはじめ、ＳＤカード等のフラッシュメモリを利用した各種のメモリ装置に適用可能である。
【符号の説明】
【００７１】
１  ＵＳＢメモリ装置
２  データ入出力用の接続端子部
３  ＵＳＢメモリ本体（機能部）
４  スイッチ操作部
５  表示装置
６  電池
７  蓋
８  データ格納用メモリ
９  ＣＰＵ
１０  メインメモリ
１１  入力部
１２  出力部
１３  バス（データバス及びアドレスバス）
１４  電源スイッチボタン
１５、１６  切替スイッチボタン
１７  削除スイッチボタン
１８  表示装置の表示面
１９  データスイッチ部
２０  ＵＳＢメモリ装置
２１  ＵＳＢメモリ本体
【図１】
2010218082.tif 000003
【図２】
2010218082.tif 000004
【図３】
2010218082.tif 000005
【図４】
2010218082.tif 000006